(57)【特許請求の範囲】
【請求項１】
被検者の視線を誘導するための固視目標を被検眼に提示する固視目標提示手段と、
被検眼の眼底像を観察する眼底観察手段と、
被検眼の前眼部に視標光束を投影したときの角膜からの反射像を、互いに異なる形状を有する複数の位置合わせ視標として前記眼底観察手段に導くための位置合わせ補助手段と、
前記固視目標提示手段によって提示される固視目標の位置に応じた位置に、前記複数の位置合わせ視標を位置合わせするための複数の基準マークを前記眼底観察手段に表示する表示制御手段とを有し、
該表示制御手段は、前記複数の基準マークの形状を前記位置合わせ視標の形状に対応させて前記眼底観察手段に表示することを特徴とする眼科装置。
【請求項２】
被検者の視線を誘導するための固視目標を被検眼に提示する固視目標提示手段と、
被検眼の眼底像を観察する眼底観察手段と、
被検眼の前眼部に視標光束を投影したときの角膜からの反射像を、複数の位置合わせ視標として前記眼底観察手段に導くための位置合わせ補助手段と、
前記固視目標提示手段によって提示される固視目標の位置に応じた位置に、前記複数の位置合わせ視標を位置合わせするための複数の基準マークを前記眼底観察手段に表示する表示制御手段とを有し、
前記複数の位置合わせ視標は選択可能であり、前記表示制御手段は選択された前記位置合わせ視標に対応する基準マークを前記眼底観察手段に表示することを特徴とする眼科装置。
【発明の詳細な説明】
【０００１】
【発明の属する技術分野】
本発明は、眼科医院等において使用する眼科装置に関するものである。
【０００２】
【従来の技術】
従来の眼底カメラにおいては、被検眼に視標光束を投影してその反射像を観察し、反射像位置を一定位置に合わせ、撮影光軸が瞳孔を通り被検眼と光学系が所定の距離を保つようにして位置合わせを行っている。
【０００３】
【発明が解決しようとする課題】
しかしながら上述の従来例においては、視神経乳頭を撮影範囲の中心に合わせて周辺部を撮影する場合には、見掛け上、瞳孔が小さくなる上に反射像の位置と瞳孔が偏心するために、撮影光軸が瞳孔の中心を通らないように位置合わせされてしまう。従って、瞳孔径の小さい被検眼では、照明光の片側が虹彩に遮ぎられ易くなるために、眼底を均一に照明することができない。特に、撮影光軸を瞳孔から左右に偏心させて位置合わせして立体撮影する場合には、左右の振り分け中心が瞳孔の中心と一致していないと、左右の画像で虹彩により遮ぎられる光量が異なるために照明光量に差が生じ、それらの画像を用いて立体視しても立体感が得難く、更にアライメントが適正位置からずれるためにフレアが発生するという問題点がある。
【０００４】
本発明の目的は、上述の問題点を解消し、周辺撮影の際にも常に撮影光軸が瞳孔中心を通るように位置合わせを行う眼科装置を提供することにある。
【０００５】
【課題を解決するための手段】
上記目的を達成するための本発明に係る眼科装置は、被検者の視線を誘導するための固視目標を被検眼に提示する固視目標提示手段と、被検眼の眼底像を観察する眼底観察手段と、被検眼の前眼部に視標光束を投影したときの角膜からの反射像を、互いに異なる形状を有する複数の位置合わせ視標として前記眼底観察手段に導くための位置合わせ補助手段と、前記固視目標提示手段によって提示される固視目標の位置に応じた位置に、前記複数の位置合わせ視標を位置合わせするための複数の基準マークを前記眼底観察手段に表示する表示制御手段とを有し、該表示制御手段は、前記複数の基準マークの形状を前記位置合わせ視標の形状に対応させて前記眼底観察手段に表示することを特徴とする。
【０００６】
また、本発明に係る眼科装置は、被検者の視線を誘導するための固視目標を被検眼に提示する固視目標提示手段と、被検眼の眼底像を観察する眼底観察手段と、被検眼の前眼部に視標光束を投影したときの角膜からの反射像を、複数の位置合わせ視標として前記眼底観察手段に導くための位置合わせ補助手段と、前記固視目標提示手段によって提示される固視目標の位置に応じた位置に、前記複数の位置合わせ視標を位置合わせするための複数の基準マークを前記眼底観察手段に表示する表示制御手段とを有し、前記複数の位置合わせ視標は選択可能であり、前記表示制御手段は選択された前記位置合わせ視標に対応する基準マークを前記眼底観察手段に表示することを特徴とする。
【０００７】
【発明の実施の形態】
本発明を図示の実施例に基づいて詳細に説明する。
図１は第１の実施例の眼底カメラの斜視図を示し、眼底カメラと被検眼との位置合わせをするために、赤外光を用いて被検眼を撮像してテレビモニタにより観察する無散瞳眼底カメラである。基台１上にはステージ２が三次元的に移動可能に載置されており、基台１の被検者側には顔を固定する額当て３及び顎受け４が固設されている。ステージ２上には光学系を内蔵する測定部筐体５、テレビモニタ６、前後左右動を行う操作手段７、上下動スイッチ８が配設されており、測定部筐体５にはデジタルカメラ９が取り付けられている。
【０００８】
図２は測定部の構成図を示し、測定部筐体５内において、被検眼Ｅに対向する対物レンズ１１の後方の光路上に眼底撮影手段Ａが構成されており、対物レンズ１１側から、孔部に撮影絞り１２ａを有する孔あきミラー１２、光路方向に移動してピントを調節するフォーカスレンズ１３、撮影レンズ１４、切換えミラー１５が順次に配列され、マウント１６を介して、撮影像面９ａを有し画像メモリ９ｂを内蔵するデジタルカメラ９が装着されている。孔あきミラー１２の孔部には、図３に示すように撮影絞り１２ａ及び撮影絞り１２ａの両側に被検眼Ｅに投影する互いに異なる形状のアライメント視標AL、ARが設けられており、これらのアライメント視標AL、ARは光ファイバ１７Ｌ、１７Ｒを介して視標照明用光源１８Ｌ、１８Ｒに照明されるようになっており、これらの部材から位置合わせ補助手段Ｂが構成されている。
【０００９】
また、孔あきミラー１２の入射方向には、赤外光を定常的に発し撮影時に可視閃光を発する既知の眼底照明手段Ｃが配置されており、切換えミラー１５の反射方向の光路上にはハーフミラー１９が配設されている。ハーフミラー１９の反射方向には眼底観察手段Ｄが構成されて、レンズ２０、撮像レンズ２１、撮像手段２２が配列されており、ハーフミラー１９の透過方向には、固視目標２３ａとして図４に示すような任意の透過領域を有する液晶素子２３、バックライト２４が配置されて、固視目標呈示手段Ｆが構成されている。
【００１０】
デジタルカメラ９と撮像手段２２の出力は画像処理部２５に接続され、画像処理部２５の出力はテレビモニタ６に接続されている。また、バックライト２４には液晶制御手段２６の出力が接続され、液晶制御手段２６にはＣＰＵ２７の出力が接続されている。更に、ＣＰＵ２７の出力は制御手段２８に接続され、制御手段２８の出力は眼底照明手段Ｃ、切換えミラー１５に接続されており、撮影モード選択スイッチ２９、固視目標移動スイッチ３０、撮影スイッチ３１の出力がＣＰＵ２７に接続されている。
【００１１】
このような構成において、撮影者は眼底撮影手段Ａの光軸が被検眼Ｅの瞳孔Epの中心を通り、更に対物レンズ１１と角膜Ecとが適正な距離を保つように、アライメント視標AL、ARの反射像を用いて本体光学系と被検眼Ｅとの位置合わせを行う。
【００１２】
即ち、被検者は顎台４に顎を載せ、額当て３に額を押し当てた状態で待機している。ＣＰＵ２７からの指令により、眼底照明手段Ｃは赤外光を発して眼底Erを定常的に照明する。このとき、制御手段２８は視標照明用光源１８Ｌ、１８Ｒを点灯し、更に液晶制御手段２６はバックライト２４を点灯し、図４に示すように液晶素子２３の予め決められたセルのみを透過状態にして、被検眼Ｅに固視目標２３ａを呈示する。
【００１３】
このように照明された眼底像は、瞳孔Ep、対物レンズ１１、孔あきミラー１２の孔部の撮影絞り１２ａ、フォーカスレンズ１３、撮影レンズ１４を通り、切換えミラー１５により下方に反射され、更にハーフミラー１９により左方に反射され、レンズ２０の付近に結像し、撮影レンズ２１により撮像素子２２付近に再結像する。この像は映像信号に変換され、画像処理部２５によりテレビモニタ６に表示され、撮影者はこのテレビモニタ６に映った眼底像を観察し、撮影部位、フレアの有無、ピントの状態を確認する。
【００１４】
また、図５に示すように被検者に呈示している固視目標２３ａの位置を示すキャラクタＫが、画像処理部２５によって眼底像と合成されてテレビモニタ６に映し出される。撮影者はこの眼底像とキャラクタＫを見ながら固視目標移動スイッチ３０を操作して、所望の部位が撮影できるように被検者の視線を誘導する。
【００１５】
視標照明用光源１８Ｌ、１８Ｒにより光ファイバ１７Ｌ、１７Ｒを介して照明されたアライメント視標AL、ARの像は、対物レンズ１１を通って被検眼Ｅの前眼部に投影され、角膜Ecで反射され、その反射像は対物レンズ１１を通り、その後に眼底像と同様の経路を通って、撮像手段２２付近に結像し、眼底像と共にテレビモニタ６上にアライメント視標像AL’、AR’が表示される。
【００１６】
これらのアライメント視標像AL’、AR’は、被検者と本体光学系の位置合わせを補助するための視標なので、撮影者はこの反射像の輪郭が明瞭に見え、かつテレビモニタ６上に表示された固視目標２３ａの位置に連動して移動する位置合わせ基準マークML、MRと重なるように、前後左右動操作手段７及び上下動スイッチ８を操作して、被検眼Ｅと本体光学系の位置合わせを行う。
【００１７】
図５は被検眼Ｅの眼底の黄斑を中心にして撮影する場合のキャラクタＫ及び位置合わせ基準マークML、MRの配置を示し、キャラクタＫは画面の中心に配置され、位置合わせ基準マークML、MRは上下方向の略中間の位置に略左右対称に配置されている。
【００１８】
また、図６は集団検診等で撮影する場合の撮影範囲を示し、視神経乳頭と黄斑を結ぶ線の中間が画面の略中心に位置している。この場合には、キャラクタＫは右方に偏心しており、位置合わせ基準マークML、MRもキャラクタＫと同じ方向に偏心して表示されている。
【００１９】
更に、図７は視神経乳頭を画面の中心に配置して撮影する場合を示し、キャラクタＫは右方向の端の方に位置しており、位置合わせ基準マークMRは図６の場合に比較して更に右方向に偏心して表示され、位置合わせ基準マークMLは表示範囲外であるために表示されていない。
【００２０】
図１は被検者の左眼を撮影する場合の配置を示しており、右眼を撮影する場合には乳頭と黄斑の位置が左右に入れ代えるために、キャラクタＫ及び位置合わせ基準マークML、MRは、図６と図７の場合と反対方向の左方向に偏心して表示される。
【００２１】
このような操作により、所望の撮影部位が得られて適正な位置合わせが終了した後に、撮影スイッチ３１を操作して眼底Erを撮影する。検者が撮影スイッチ３１を操作するとＣＰＵ２７はこの入力を検知し、制御手段２８は切換えミラー１５を光路外に退避し、デジタルカメラ９が静止画撮影のための光蓄積を開始すると共に、眼底照明手段Ｃは可視の閃光を発する。この閃光は孔あきミラー１２で反射され、対物レンズ１１を通った後に眼底Erを照明する。
【００２２】
このように照明された眼底像は、対物レンズ１１、孔あきミラー１２の孔の中の撮影絞り１２ａ、フォーカスレンズ１３、撮影レンズ１４を通り、デジタルカメラ９の撮像面９ａに結像する。この像はデジタル信号に変換され、デジタルカメラ９の画像メモリ９ｂに記憶されると共に、ビデオ信号に変換されてテレビモニタ６に再生され、撮影を終了する。なお、このときには固視目標位置を示すキャラクタＫ及び位置合わせ基準マークML、MRは表示されない。
【００２３】
立体撮影を行う場合には、撮影モード選択スイッチ２９を操作して立体撮影モードにする。このスイッチ操作に連動して、図８に示すように固視目標２３ａを示すキャラクタＫは視神経乳頭が画面中心に位置するように呈示される。そして、視標照明用光源１８Ｒのみが点灯し、アライメント視標ARの像のみが被検眼Ｅに投影され、位置合わせ基準マークMRのみがテレビモニタ６上の画像中心と固視目標呈示位置との偏心量の２／３〜３／４の位置に表示される。撮影者はアライメント視標ARの反射像を位置合わせ基準マークMRに合わせて、一対の立体画像の内の右画像の撮影を行う。
【００２４】
次に、テレビモニタ６には、位置合わせ基準マークMRを表示していた位置に図９に示すように位置合わせ基準マークMLが表示され、視標照明用光源１８Ｒは消灯して視標照明用光源１８Ｌのみが点灯する。撮影者はアライメント視標ALの反射像を位置合わせ基準マークMLに合わせ、一対の立体画像の内の左画像を撮影して立体撮影を終了する。
【００２５】
このように、撮影光軸を偏心させて立体撮影をする場合には、良好な画像を得るために通常よりも広い瞳孔径を必要とする。特に、乳頭を画面の中心に配置して撮影する周辺撮影の場合には、瞳孔Epが見掛け上小さくなるために、立体撮影の右画像の光軸と左画像の光軸を、瞳孔Epを中心としてより正確に振り分けて配置しなければならない。
【００２６】
本実施例による立体撮影においては、視標照明用光源１８Ｌ、１８Ｒを左右の撮影に応じて順次に点灯することにより、特にアライメント視標AL、ARの形状が同一の場合には、位置合わせ基準マークML、MRそれぞれに対応するアライメント視標AL、ARの反射像が明確になるので、効率の良い撮影を行うことができる。なお、任意の位置に視線を誘導する固視目標呈示手段について説明したが、左右眼又は撮影倍率に応じて固定した位置に固視目標２３ａを呈示する装置についても、位置合わせ基準マークML、MRを固視目標位置に応じて異なる位置に表示することにより、同様の効果を得ることができる。
【００２７】
図１０は第２の実施例を示し、被検眼の観察を撮影者がファインダを通して肉眼で行う散瞳型の眼底カメラである。なお、第１の実施例と同一の符号は同一の部材を示している。第１の実施例における眼底撮影手段Ａの切換えミラー１５の位置に切換えミラー４０が配置され、切換えミラー４０の反射方向にハーフミラー４１が配置されている。ハーフミラー４１の左方反射方向には、フィールドレンズ４２、ファインダレンズ４３が配置されて、ファインダ光学系が構成されている。また、撮影者ｅから見てハーフミラー４１の透過方向である右方反射方向には、レンズ４４、ミラー４５、第２の液晶素子４６、第２の液晶照明用手段４７が順次に配列されて、基準視標投影光学系が構成されており、第２の液晶照明用手段４７の出力は液晶制御手段２６に接続されている。
【００２８】
眼底照明手段Ｃは定常的に可視光を発し、眼底Erはこの可視光により定常的に照明される。撮影者はこの定常光により照明された眼底Erと被検眼Ｅの角膜Ecからのアライメント用視標AL、ARの反射像を、ファインダ光学系を通して観察することができる。
【００２９】
第２の液晶素子４６は液晶制御手段２６により制御されており、第１の実施例と同様に基準視標形状の光透過部分を形成する。この基準マークML、MRは第２の液晶照明手段４７により照明され、ミラー４５で反射され、レンズ４４によりフィールドレンズ付近に結像する。撮影者はファインダレンズ４３により、この基準マークML、MRの像と眼底像更にアライメント視標AL、ARの反射像を重ねて観察することができる。
【００３０】
従って、撮影者ｅはファインダレンズ４３を覗いて眼底像を観察しながら、アライメント視標AL、ARの反射像が、基準マークML、MRに合致するように位置合わせすることにより、第１の実施例と同様の効果を得ることができる。なお、第２の実施例では２つの液晶表示手段を用いたが、１つの液晶表示手段を部分的に被検者への固視目標投影用と、撮影者への基準マークML、MR投影用とに使い分けてもよい。
【００３１】
【発明の効果】
以上説明したように本発明に係る眼科装置は、眼底像を観察しながら視標光束の反射像が基準マークに合致するように位置合わせを行うことにより、被検眼の周辺撮影をする場合でも、正確に撮影光軸を瞳孔の中心に位置することが可能となり、更に瞳孔の中心に対して正確に撮影光軸を振り分けて位置合わせができるので、小さい瞳孔径の被検眼に対しても、光量差の少ない左右の立体像が撮影でき、良好な立体感を有する撮影画像を得ることができる。
【００３２】
また、本発明に係る眼科装置は、位置合わせするための基準マークを固視目標位置に対応して異なる位置に表示し、その位置に被検眼の前眼部に投影した視標光束の反射像を一致させて位置合わせを行うことにより、被検眼の周辺撮影をする場合でも、正確に撮影光軸を瞳孔の中心に位置することが可能となり、更に瞳孔の中心に対して正確に撮影光軸を振り分けて位置合わせができるので、小さい瞳孔径の被検眼に対しても、光量差の少ない左右の立体像が撮影でき、良好な立体感を有する撮影画像を得ることができる。
【図面の簡単な説明】
【図１】第１の実施例の眼底カメラの斜視図である。
【図２】構成図である。
【図３】補助視標の正面図である。
【図４】固視目標の説明図である。
【図５】黄斑を中心に撮影する場合の表示画面の説明図である。
【図６】集団検診時の表示画面の説明図である。
【図７】視神経乳頭を中心にした場合の表示画面の説明図である。
【図８】立体撮影時の右表示画面の説明図である。
【図９】左表示画面の説明図である。
【図１０】第２の実施例の眼底カメラの構成図である。
【符号の説明】
１  基台
５  測定部筐体
６  テレビモニタ
７  操作手段
８  上下動スイッチ
９  デジタルカメラ
１２  孔あきミラー
１２ａ  撮影絞り
１５  切換えミラー
１７Ｌ、１７Ｒ  光ファイバ
１８Ｌ、１８Ｒ  視標照明用光源
２２  撮像手段
２３  液晶素子
２５  画像処理部
２６  液晶制御手段
２７  ＣＰＵ
２８  制御手段
２９  撮影モード選択スイッチ
３０  固視目標移動スイッチ
３１  撮影スイッチ
【図１】
0004011731.tif 000002
【図２】
0004011731.tif 000003
【図３】
0004011731.tif 000004
【図４】
0004011731.tif 000005
【図５】
0004011731.tif 000006
【図６】
0004011731.tif 000007
【図７】
0004011731.tif 000008
【図８】
0004011731.tif 000009
【図９】
0004011731.tif 000010
【図１０】
0004011731.tif 000011